(57)【要約】【課題】フリーストップヒンジ装置の部品点数を少なくして、組立てを簡単にし、低コストにする。【解決手段】折畳型携帯電話機の操作部筐体に固定される軸受体１には、軸方向に平行な２本の溝部３が内面に形成されている。軸受体１の内部には、表示部筐体に固定される回転軸６と摩擦バネ２が挿入される。摩擦バネ２は、略円筒状で、軸受体１の内面に押し付けられる突起部４を有し、回転軸６に固定される。軸受体１と摩擦バネ２は、互いに摩擦しながら回転するので、摩擦力により任意の角度で保持できる。筐体が全開すると、軸受体１の溝部３と摩擦バネ２の突起部４が噛み合って、安定に保持される。筐体に一定以上の力を加えると係合が解除されて、フリーストップ状態になる。さらに力を加え続けると折り畳まれる。全閉状態でも、軸受体１の溝部３と摩擦バネ２の突起部４が噛み合って、安定に保持される。【選択図】      図１
2005023951.tif 000002
【特許請求の範囲】
【請求項１】
軸と平行な複数の溝部が内面に形成された軸受体と、前記軸受体の内部に挿入された回転軸と、前記回転軸に固定され、軸と平行で前記軸受体の内面に押し付けられる突起部を有し、軸と平行なスリット部を有する略円筒状の摩擦バネとを具備することを特徴とするフリーストップヒンジ装置。
【請求項２】
軸と平行な複数の溝部が内面に形成された軸受体と、前記軸受体の内部に挿入された回転軸と、前記回転軸に固定され、軸と平行で前記軸受体の内面に押し付けられる突起部を有する円筒状の摩擦バネとを具備することを特徴とするフリーストップヒンジ装置。
【請求項３】
前記スリット部は、前記回転軸と前記摩擦バネとの固定部より軸回り角度で略９０°離れた位置に設けられており、前記突起部は、前記スリット部より軸回り角度で略１８０°離れた位置に１つ設けられていることを特徴とする請求項１記載のフリーストップヒンジ装置。
【請求項４】
前記スリット部を、前記摩擦バネを前記回転軸に固定する第１の固定部とし、前記スリット部より軸回り角度で略１８０°離れた位置に第２の固定部を設け、前記突起部は、前記各固定部より軸回り角度で略９０°離れた位置に１つ設けられていることを特徴とする請求項１記載のフリーストップヒンジ装置。
【請求項５】
前記スリット部を、前記摩擦バネを前記回転軸に固定する第１の固定部とし、前記スリット部より軸回り角度で略１８０°離れた位置に第２の固定部を設け、前記突起部は、前記各固定部より軸回り角度で略９０°離れた位置に２つ設けられていることを特徴とする請求項１記載のフリーストップヒンジ装置。
【請求項６】
軸回り角度で互いに略１８０°離れた位置に２つの固定部を設け、前記突起部は、前記固定部より軸回り角度で略９０°離れた位置に１つ設けられていることを特徴とする請求項２記載のフリーストップヒンジ装置。
【請求項７】
軸回り角度で互いに略１８０°離れた位置に２つの固定部を設け、前記突起部は、前記固定部より軸回り角度で略９０°離れた位置に２つ設けられていることを特徴とする請求項２記載のフリーストップヒンジ装置。
【請求項８】
前記溝部は、軸回り角度で互いに略１８０°離れた位置に２つ設けられていることを特徴とする請求項１または２記載のフリーストップヒンジ装置。
【請求項９】
軸と平行な複数の突起部が内面に形成された軸受体と、前記軸受体の内部に挿入された回転軸と、前記回転軸に固定され、軸と平行で前記軸受体の突起部と係合する溝部を有する円筒状の摩擦バネとを具備することを特徴とするフリーストップヒンジ装置。
【発明の詳細な説明】
【０００１】
【発明の属する技術分野】
本発明は、フリーストップヒンジ装置に関し、特に、折畳型携帯電話機の表示部筐体と操作部筐体とを連結するフリーストップヒンジ装置に関する。
【０００２】
【従来の技術】
従来の折畳型携帯電話機は、図１９に示すように、送話部と操作キーを有する操作部筐体と、受話部と表示部を有する表示部筐体とからなり、表示部筐体と操作部筐体は、ヒンジによって連結されている。ヒンジは、軸方向に並んだ円筒状の軸受部を備えている。一方の軸受部は、操作部筐体に連結され、他方の軸受部は、表示部筐体に連結されている。各種のヒンジのうち、摩擦力により表示部筐体と操作部筐体を任意の角度で保持できる摩擦ヒンジでは、軸受部内に摩擦受部材が固定されている。摩擦受部材と摩擦部材は、互いに摩擦しながら回転する。
【０００３】
摩擦ヒンジでは、摩擦受部材と摩擦部材とが、バネの弾性力により面接触している。筐体が折り畳まれたり開かれたりする際、摩擦受部材と摩擦部材との摩擦により、抵抗を受ける。摩擦受部材と摩擦部材との摺動面には、凹凸が形成されている。筐体が所定の角度開くと、凹凸が噛み合って停止する。筐体に一定以上の力を加えると、凹凸の噛み合いが解除されてフリーストップ状態になる。さらに力を加え続けると筐体が折り畳まれる。折畳状態でも凹凸が噛み合って、安定に保持される。
【０００４】
具体例としては、特許文献１に開示された「ヒンジ」がある。これは、回転方向の摩擦部の接触長さを大きくし、表示部筐体と操作部筐体の回転方向へ、バネの圧力を効率的に作用させることができるヒンジである。図２０に示すように、ヒンジの軸受体は、表示部筐体に取り付けられる。軸受体には、耐磨耗性の内面を有する摺動子係止部が形成されている。ヒンジの軸は、操作部筐体に取り付けられる。軸は、軸受体の内部に、回転自在で抜けないように挿入されている。軸の外周部には、バネ収容穴が有る。バネ収容穴は、軸心と直角に交差し、回転時に、摺動子係止部を含む軌道を通過する。バネが、バネ収容穴内へ挿入されている。固い材質の摺動子が、バネの弾性力で、バネ収容穴から周方向へ押し出され、軸受体の内面との間で摩擦力を発生し、回転に抵抗を与える。
【０００５】
特許文献２に開示された「トルクヒンジ装置」は、筺体の開閉時に、抵抗トルクが発生し、ロック感も得られるヒンジ装置である。図２１に示すように、本体部筐体に、周方向に沿って設けられた溝部を有する軸部と、溝部に設けられたリング状の弾性部材とを設ける。液晶部筺体に、軸受溝と窪み部とを有する軸受部を設ける。軸部の溝部表面と弾性部材の内径面とを固着させる。弾性部材の外径面に、緩やかな曲面状の凹凸を形成する。凹凸と噛み合うように、軸受部の表面に窪み部を形成する。
【０００６】
特許文献３に開示された「通信機器用トルクヒンジ」は、通信機器の筐体を一定角度で停止させるヒンジであり、簡単な構成で小形軽量にしたものである。図２１に示すように、筒状のカバーケースの内壁に、筒状で中央部の径を細くして中溝を設けたスプリングを入れる。スプリングの中に摩擦軸を入れる。摩擦軸の外面に、中曲がりしたスプリングの内面が押し付けられて、回転時の抵抗トルクが発生する。
【０００７】
【特許文献１】
特開２００１−２８９２３８号公報
【特許文献２】
特開平８−１１６１８５号公報
【特許文献３】
特開２００２−８９５３８号公報
【０００８】
【発明が解決しようとする課題】
しかし、従来の摩擦ヒンジ装置は、部品点数が多く、組立てが困難であり、コストもかかるという問題があった。
【０００９】
本発明は、上記従来の問題を解決して、摩擦ヒンジ装置の部品点数を少なくして、組立てを簡単にし、低コストにすることを目的とする。
【００１０】
【課題を解決するための手段】
上記の課題を解決するために、本発明では、フリーストップヒンジ装置を、軸と平行な複数の溝部が内面に形成された軸受体と、軸受体の内部に挿入された回転軸と、回転軸に固定され、軸と平行で軸受体の内面に押し付けられる突起部を有し、軸と平行なスリット部を有する略円筒状の摩擦バネとを具備する構成とした。このように構成したことにより、摩擦ヒンジ装置の部品点数を少なくして、組立てを簡単にすることができる。
【００１１】
また、フリーストップヒンジ装置を、軸と平行な複数の溝部が内面に形成された軸受体と、軸受体の内部に挿入された回転軸と、回転軸に固定され、軸と平行で前記軸受体の内面に押し付けられる突起部を有する円筒状の摩擦バネとを具備する構成とした。このように構成したことにより、スリット部の無いスリーブ状の摩擦バネを利用しても、摩擦ヒンジ装置の部品点数を少なくして、組立てを簡単にすることができる。
【００１２】
【発明の実施の形態】
以下、本発明の実施の形態について、図１〜図１８を参照しながら詳細に説明する。
【００１３】
（第１の実施の形態）
本発明の第１実施の形態は、軸に平行で、スリット部から略１８０°離れた位置に直線状の１つの突起部を有する略円筒状の摩擦バネにより、軸と軸受体との間に摩擦力を発生させるフリーストップヒンジ装置である。
【００１４】
図１は、本発明の第１の実施の形態におけるフリーストップヒンジ装置の軸受体の分解状態の前面斜視図である。図２は、分解状態の裏面斜視図である。図３は、組立状態の前面斜視図である。図４は、組立状態の裏面斜視図である。図５は、筐体組込状態の縦断面図である。図６は、筐体組込状態の垂直横断面図である。図７は、筐体組込状態の水平横断面図である。図８は、フリーストップヒンジ装置を装着した携帯電話機の斜視図である。
【００１５】
図１〜図８において、軸受体１は、操作部筐体に固定される軸受である。摩擦バネ２は、スリット部で切れている円筒状の板バネ（スプリングピン）であり、表示部筐体に固定される回転軸に取り付けられ、突起部を軸受体に押し付ける力を発生させるバネ部材である。溝部３は、表示部筐体と操作部筐体が全開状態と全閉状態のときに、摩擦バネの突起部と係合する、軸に平行な溝である。溝部３は、軸回りの角度で略１８０°隔てて２本設けてある。突起部４は、軸受体との間で摩擦力を発生するとともに、表示部筐体と操作部筐体が全開状態と全閉状態のときに、軸受体の溝部と係合する、軸に平行でスリット部から略１８０°離れた位置にある直線状の１つの突起である。
【００１６】
スリット部５は、板バネを円筒状にして摩擦バネを形成したときの切れ目である。回転軸６は、操作部筐体に固定される軸であると共に、軸受体１を回転可能に抜けない様に取り付ける機能も持つ。表示部筐体７は、携帯電話機の表示部がある筐体である。操作部筐体８は、携帯電話機の操作キーがある筐体である。フリーストップヒンジ装置９は、軸受体１〜回転軸６を組み立てたヒンジ装置である。切欠部１０は、摩擦バネを回転軸に取り付けて固定するための位置合わせ部であり、摩擦バネ２のスリット部から略±９０°離れた位置に４カ所ある。切欠部１０の位置は、数１０°ずれていてもかまわないので、状況に応じて適宜決定すればよい。
【００１７】
上記のように構成された本発明の第１の実施の形態におけるフリーストップヒンジ装置の機能と動作を、図１〜図８を参照しながら説明する。最初に、フリーストップヒンジ装置の機能の概略を説明する。図８に示す携帯電話機の表示部筐体７に固定される回転軸６に、摩擦バネ２が嵌合される。摩擦バネ２の外側に、軸受体１が挿し被される。軸受体１は、携帯電話機の操作部筐体に固定される。摩擦バネ２の突起部４は、携帯電話機の筐体の全開状態と全閉状態において、軸受体１の溝部３と係合する。携帯電話機の筐体の半開状態では、摩擦バネ２の突起部４は、軸受体１の内壁にバネの弾性力で当接して、摩擦力により抵抗トルクを発生する。
【００１８】
次に、軸受体１の機能を説明する。軸受体１は、操作部筐体８に固定される。軸受体１には、軸方向に平行な２本の溝部３が内面に形成されている。溝部３は、軸回りの角度で略１８０°隔てて２本設けてある。略１８０°とは、筐体の開き角度に応じて、１６０°〜１８０°程度の角度にするという意味である。１本の溝は、表示部筐体７と操作部筐体８が全開状態のときに、摩擦バネ２の突起部４と係合する。もう１本の溝は、表示部筐体７と操作部筐体８が全閉状態のときに、摩擦バネ２の突起部４と係合する。軸受体１の内部には、摩擦バネ２と回転軸６が挿入され、摩擦バネ２の突起部４が軸受体１の内面に当接して、摩擦力による抵抗トルクで両筐体の半開状態を保持する。
【００１９】
第３に、摩擦バネ２の組立方法と機能を説明する。摩擦バネ２は、略円筒状で、軸受体１の内面に押し付けられる突起部４を有し、回転軸６に固定される。突起部４は、軸に平行な直線状である。摩擦バネ２は、１枚の板バネを略円筒状に加工したものである。摩擦バネ２のスリット部より略・・・・離れた位置にある４カ所の切欠部１０を、回転軸６に固定するための位置合わせ部として、回転軸６に摩擦バネ２を、回転不能に抜けない様に取り付け、軸受体１に挿入する。軸受体１を操作部筐体８に固定し、回転軸６を表示部筐体７に固定する。回転軸６に摩擦バネ２を取り付けた状態では、摩擦バネ２の突起部４の外周は、軸受体１の内周より僅かに大きい。摩擦バネ２の突起部４を軸受体１の溝部３に合わせて軸受体１に抵抗無く挿入することができる。表示部筐体７に固定された回転軸６が回転すると同期して摩擦バネ２が回転し突起部４が撓むことによる弾性力で、摩擦バネ２の突起部４が軸受体１の内面を強く押し、摩擦力による抵抗トルクを発生する。摩擦バネ２が回転軸６に固定されている切欠部１０と突起部４との位置関係により、抵抗トルクの大きさが変わる。したがって、突起部４の位置は、切欠部１０の中間にある場合が、バランスがよくて最適である。突起部４の位置は、切欠部１０の中間から数１０ーずれていても動作に支障はない。
【００２０】
第４に、フリーストップヒンジ装置の動作を説明する。摩擦バネ２の突起部４は、摩擦バネ２の弾性力により、軸受体１の内面に押し付けられる。軸受体１と摩擦バネ２は、互いに摩擦しながら回転するので、摩擦力により、表示部筐体７と操作部筐体８を任意の角度で保持できる。表示部筐体７と操作部筐体８が全開すると、軸受体１の溝部３と摩擦バネ２の突起部４が噛み合って、安定に保持される。表示部筐体７と操作部筐体８が限界まで開ききって、両筐体の端部が互いに当接している状態では、突起部４が溝部３の途中まで嵌り込むようになっているので、筐体を開く方向にトルクが働き、開き状態を安定に保持できる。表示部筐体７と操作部筐体８に一定以上の力を加えると、溝部３と突起部４の係合が解除されてフリーストップ状態になる。さらに力を加え続けると、表示部筐体７と操作部筐体８が折り畳まれる。全閉状態でも、軸受体１の溝部３と摩擦バネ２の突起部４が噛み合って、安定に保持される。突起部４が溝部３の途中まで嵌り込んで、筐体を閉じる方向にトルクが働き、閉じ状態を安定に保持する。
【００２１】
上記のように、本発明の第１の実施の形態では、フリーストップヒンジ装置を、軸に平行で、スリット部から略１８０°離れた位置に直線状の１つの突起部を有する略円筒状の摩擦バネにより、軸と軸受体との間に摩擦力を発生させる構成としたので、フリーストップヒンジ装置の部品点数を少なくして、組立てを簡単にし、低コストにできる。
【００２２】
（第２の実施の形態）
本発明の第２の実施の形態は、軸に平行で、スリット部から略９０°離れた位置に直線状の１つの突起部を有するほぼ円筒状の摩擦バネにより、軸と軸受体との間に摩擦力を発生させるフリーストップヒンジ装置である。
【００２３】
図９は、本発明の第２の実施の形態におけるフリーストップヒンジ装置の軸受体の分解状態の前面斜視図である。図１０は、分解状態の裏面斜視図である。図１１は、筐体組込状態の縦断面図である。図１２は、筐体組込状態の垂直横断面図である。図１３は、筐体組込状態の水平横断面図である。
【００２４】
図９〜図１３において、摩擦バネ２は、円筒状の板バネ（スプリングピン）であり、表示部筐体に固定される回転軸に取り付けられ、突起部を軸受体に押し付ける力を発生させるバネ部材である。突起部の位置と取付方法が、第１の実施の形態における摩擦バネと異なる。突起部４は、軸受体との間で摩擦力を発生するとともに、表示部筐体と操作部筐体が全開状態と全閉状態のときに、軸受体の溝部と係合する１つの突起であり、スリット部から軸回り角度で略９０°離れた位置にあり、軸に平行な直線状の突起である。切欠部１０は、摩擦バネを回転軸に取り付けて固定するための位置合わせ部であり、摩擦バネ２のスリット部から略１８０°離れた位置にある。切欠部１０の位置は、１８０°の位置が最適であるが、数１０°ずれていてもかまわない。摩擦バネ２を、スリット部と切欠部で、回転軸の段差に固定する。スリット部も回転軸の固定に利用している。突起部４の位置は、スリット部又は切欠部より９０°離れた真ん中が、バランスが良くて最適であるが、スリット部又は切欠部から６０°〜１２０°程度の範囲にあればよい。その他の部分は、第１の実施の形態と同じである。
【００２５】
上記のように構成された本発明の第２の実施の形態におけるフリーストップヒンジ装置の機能と動作を、図９〜図１３を参照しながら説明する。第１の実施の形態と同じ部分については、詳しい説明を省略する。軸受体１は、第１の実施の形態と同じである。摩擦バネ２は、略円筒状で、軸受体１の内面に押し付けられる１つの突起部４を有している。突起部４は、軸に平行な直線状であり、スリット部５から軸回り角度で略９０°離れた位置にある。摩擦バネ２の突起部４は、摩擦バネ２の弾性力により、軸受体１の内面に押し付けられる。軸受体１と摩擦バネ２は、互いに摩擦しながら回転するので、摩擦力により、表示部筐体７と操作部筐体８を任意の角度で保持できる。
【００２６】
表示部筐体７と操作部筐体８が全開すると、軸受体１の溝部３と摩擦バネ２の突起部４が噛み合って、安定に保持される。表示部筐体７と操作部筐体８が限界まで開ききって、互いに当接している状態では、突起部４が溝部３の途中まで嵌り込むようにするので、筐体を開く方向にトルクが働き、開き状態を安定に保持できる。表示部筐体７と操作部筐体８に一定以上の力を加えると、溝部３と突起部４の係合が解除されてフリーストップ状態になる。さらに力を加え続けると、表示部筐体７と操作部筐体８が折り畳まれる。全閉状態でも、軸受体１の溝部３と摩擦バネ２の突起部４が噛み合って、安定に保持される。突起部４が溝部３の途中まで嵌り込むことで、筐体を閉じる方向にトルクが働き、閉じ状態を安定に保持する。
【００２７】
上記のように、本発明の第２の実施の形態では、フリーストップヒンジ装置を、軸に平行で、スリット部から略９０°離れた位置に直線状の１つの突起部を有する略円筒状の摩擦バネにより、軸と軸受体との間に摩擦力を発生させる構成としたので、摩擦バネを適当な強さにでき、筐体の開閉操作を滑らかにすることができる。
【００２８】
（第３の実施の形態）
本発明の第３の実施の形態は、軸に平行で互いに略１８０°離れ、スリット部から略９０°離れた位置にある直線状の２つの突起部を有する略円筒状の摩擦バネにより、軸と軸受体との間に摩擦力を発生させるフリーストップヒンジ装置である。
【００２９】
図１４は、本発明の第３の実施の形態におけるフリーストップヒンジ装置の軸受体の分解状態の前面斜視図である。図１５は、分解状態の裏面斜視図である。図１６は、筐体組込状態の縦断面図である。図１７は、筐体組込状態の垂直横断面図である。図１８は、筐体組込状態の水平横断面図である。
【００３０】
図１４〜図１８において、摩擦バネ２は、円筒状の板バネ（スプリングピン）であり、表示部筐体に固定される回転軸に取り付けられ、突起部を軸受体に押し付ける力を発生させるバネ部材である。突起部の位置と数が、第１、２の実施の形態における摩擦バネと異なる。突起部の回転軸への取付方法は、第２の実施の形態と同じである。突起部４は、軸受体との間で摩擦力を発生するとともに、表示部筐体と操作部筐体が全開状態と全閉状態のときに、軸受体の溝部と係合する、軸に平行で互いに略１８０°離れ、スリット部から略９０°離れた位置にある直線状の２つの突起である。その他の部分は、第１の実施の形態と同じである。
【００３１】
上記のように構成された本発明の第３の実施の形態におけるフリーストップヒンジ装置の機能と動作を、図１４〜図１８を参照しながら説明する。第１、２の実施の形態と同じ部分については、詳しい説明を省略する。軸受体１は、第１の実施の形態と同じである。軸受体１には、軸方向に平行な２本の溝部３が内面に形成されている。溝部３は、軸回り角度で略１８０°隔てて２本設けてある。摩擦バネ２は、略円筒状で、軸受体１の内面に押し付けられる２つの突起部４を有する。突起部４は、軸に平行で互いに略１８０°離れ、スリット部から略９０°離れた位置にある２つの直線状の突起である。軸受体１の２本の溝部３は、表示部筐体７と操作部筐体８が全開状態のときと全閉状態のときに、摩擦バネ２の２つの突起部４と係合する。折畳型携帯電話の開閉角度は、１８０°よりも若干狭い１５５°〜１７０°程度であり、略１８０°以下の角度範囲を反転運動する。単純には、２つの突起部４の間隔を１８０°にすることもある。この場合は、溝部３も突起部４と略同じ間隔に設定される。突起部４の間隔を例えば１６５°に設定した場合は、溝部３の幅を突起部４の幅よりも大きくして、溝部３の端に突起部４が係合するような仕組みにする。
【００３２】
摩擦バネ２の２つの突起部４は、摩擦バネ２の弾性力により、軸受体１の内面に押し付けられる。軸受体１と摩擦バネ２は、互いに摩擦しながら回転するので、摩擦力により、表示部筐体７と操作部筐体８を任意の角度で保持できる。２つの突起部４があるので、半開状態を安定に保持でき、耐久性も高まる。表示部筐体７と操作部筐体８が全開すると、軸受体１の溝部３と摩擦バネ２の突起部４が噛み合って、安定に保持される。表示部筐体７と操作部筐体８が限界まで開ききって、互いに当接している状態では、突起部４が溝部３の途中まで嵌り込むようになっているので、筐体を開く方向にトルクが働き、開き状態を安定に保持できる。
【００３３】
表示部筐体７と操作部筐体８に一定以上の力を加えると、溝部３と突起部４の係合が解除されて、フリーストップ状態になる。さらに力を加え続けると、表示部筐体７と操作部筐体８が折り畳まれる。全閉状態でも、軸受体１の溝部３と摩擦バネ２の突起部４が噛み合って、安定に保持される。突起部４が溝部３の途中まで嵌り込むことで、筐体を閉じる方向にトルクが働き、閉じ状態を安定に保持する。２本の溝部３と２つの突起部４とが係合するので、第１、２の実施の形態の場合より安定に保持できる。
【００３４】
上記のように、本発明の第３の実施の形態では、フリーストップヒンジ装置を、軸に平行で互いに略１８０°離れ、スリット部から略９０°離れた位置にある直線状の２つの突起部を有する略円筒状の摩擦バネにより、軸と軸受体との間に摩擦力を発生させる構成としたので、筐体の開閉状態を、２つの突起部で確実に保持できる。
【００３５】
第１〜第３の実施の形態では、軸受体１の溝部３を２本とする例を説明したが、中間位置で保持するための溝部を設けてもよい。摩擦バネ２の突起部４を３つ以上にすることも可能である。軸受体１を表示部筐体７に固定し、回転軸６を操作部筐体８に固定してもよい。軸受体側を溝とし、摩擦バネ側を突起としたが、軸受体側を突起とし、摩擦バネ側を溝にしてもよい。さらに、摩擦バネ２を、スリットの無いスリーブ状のものとしてもよい。スリット部が無いスリーブ状の摩擦バネとする場合は、摩擦バネを予め湾曲させて回転軸に組み付ける。第１の実施の形態の摩擦バネをスリーブ状のものとした場合は、スリット部が元々無いので、切欠部で回転軸に固定しなければならないため、第２の実施の形態の摩擦バネをスリーブ状のものとした場合と同じ形態になる。第３の実施の形態の摩擦バネをスリーブ状のものとした場合は、２つの突起部が略１８０°離れ、それぞれ切欠部から略９０°離れて配置されることになる。
【００３６】
【発明の効果】
以上の説明から明らかなように、本発明では、フリーストップヒンジ装置を、軸と平行な複数の溝部が内面に形成された軸受体と、軸受体の内部に挿入された回転軸と、回転軸に固定され、軸と平行で軸受体の内面に押し付けられる突起部を有する略円筒状の摩擦バネとを具備する構成としたので、フリーストップヒンジ装置を、軸受体と回転軸と摩擦バネとの３点で構成でき、部品点数を少なくして、組立てを簡単にすることができる。
【図面の簡単な説明】
【図１】本発明の第１の実施の形態におけるフリーストップヒンジ装置の分解状態の前面斜視図、
【図２】本発明の第１の実施の形態におけるフリーストップヒンジ装置の分解状態の裏面斜視図、
【図３】本発明の第１の実施の形態におけるフリーストップヒンジ装置の組立状態の前面斜視図、
【図４】本発明の第１の実施の形態におけるフリーストップヒンジ装置の組立状態の裏面斜視図、
【図５】本発明の第１の実施の形態におけるフリーストップヒンジ装置の筐体組込状態の縦断面図、
【図６】本発明の第１の実施の形態におけるフリーストップヒンジ装置の筐体組込状態の垂直横断面図、
【図７】本発明の第１の実施の形態におけるフリーストップヒンジ装置の筐体組込状態の水平横断面図、
【図８】本発明の第１の実施の形態におけるフリーストップヒンジ装置を装着した携帯電話機の斜視図、
【図９】本発明の第２の実施の形態におけるフリーストップヒンジ装置の分解状態の前面斜視図、
【図１０】本発明の第２の実施の形態におけるフリーストップヒンジ装置の分解状態の裏面斜視図、
【図１１】本発明の第２の実施の形態におけるフリーストップヒンジ装置の筐体組込状態の縦断面図、
【図１２】本発明の第２の実施の形態におけるフリーストップヒンジ装置の筐体組込状態の垂直横断面図、
【図１３】本発明の第２の実施の形態におけるフリーストップヒンジ装置の筐体組込状態の水平横断面図、
【図１４】本発明の第３の実施の形態におけるフリーストップヒンジ装置の分解状態の前面斜視図、
【図１５】本発明の第３の実施の形態におけるフリーストップヒンジ装置の分解状態の裏面斜視図、
【図１６】本発明の第３の実施の形態におけるフリーストップヒンジ装置の筐体組込状態の縦断面図、
【図１７】本発明の第３の実施の形態におけるフリーストップヒンジ装置の筐体組込状態の垂直横断面図、
【図１８】本発明の第３の実施の形態におけるフリーストップヒンジ装置の筐体組込状態の水平横断面図、
【図１９】従来の摩擦ヒンジ装置を備えた折畳型携帯電話機の斜視図、
【図２０】従来の摩擦ヒンジ装置（例１）の斜視図と断面図、
【図２１】従来の摩擦ヒンジ装置（例２）の断面図、
【図２２】従来の摩擦ヒンジ装置（例３）の分解斜視図である。
【符号の説明】
１  軸受体
２  摩擦バネ
３  溝部
４  突起部
５  スリット部
６  回転軸
７  表示部筐体
８  操作部筐体
９  フリーストップヒンジ装置
１０  切欠部
【図１】
2005023951.tif 000003
【図２】
2005023951.tif 000004
【図３】
2005023951.tif 000005
【図４】
2005023951.tif 000006
【図５】
2005023951.tif 000007
【図６】
2005023951.tif 000008
【図７】
2005023951.tif 000009
【図８】
2005023951.tif 000010
【図９】
2005023951.tif 000011
【図１０】
2005023951.tif 000012
【図１１】
2005023951.tif 000013
【図１２】
2005023951.tif 000014
【図１３】
2005023951.tif 000015
【図１４】
2005023951.tif 000016
【図１５】
2005023951.tif 000017
【図１６】
2005023951.tif 000018
【図１７】
2005023951.tif 000019
【図１８】
2005023951.tif 000020
【図１９】
2005023951.tif 000021
【図２０】
2005023951.tif 000022
【図２１】
2005023951.tif 000023
【図２２】
2005023951.tif 000024
【手続補正書】
【提出日】平成15年7月3日(2003.7.3)
【手続補正１】
【補正対象書類名】明細書
【補正対象項目名】００１９
【補正方法】変更
【補正の内容】
【００１９】
第３に、摩擦バネ２の組立方法と機能を説明する。摩擦バネ２は、略円筒状で、軸受体１の内面に押し付けられる突起部４を有し、回転軸６に固定される。突起部４は、軸に平行な直線状である。摩擦バネ２は、１枚の板バネを略円筒状に加工したものである。摩擦バネ２のスリット部より略±90°離れた位置にある４カ所の切欠部10を、回転軸６に固定するための位置合わせ部として、回転軸６に摩擦バネ２を、回転不能に抜けない様に取り付け、軸受体１に挿入する。軸受体１を操作部筐体８に固定し、回転軸６を表示部筐体７に固定する。回転軸６に摩擦バネ２を取り付けた状態では、摩擦バネ２の突起部４の外周は、軸受体１の内周より僅かに大きい。摩擦バネ２の突起部４を軸受体１の溝部３に合わせて軸受体１に抵抗無く挿入することができる。表示部筐体７に固定された回転軸６が回転すると同期して摩擦バネ２が回転し突起部４が撓むことによる弾性力で、摩擦バネ２の突起部４が軸受体１の内面を強く押し、摩擦力による抵抗トルクを発生する。摩擦バネ２が回転軸６に固定されている切欠部10と突起部４との位置関係により、抵抗トルクの大きさが変わる。したがって、突起部４の位置は、切欠部10の中間にある場合が、バランスがよくて最適である。突起部４の位置は、切欠部10の中間から数10°ずれていても動作に支障はない。